(57)【要約】  【課題】  棒状物を繰り出し及び引っ込めることができ、棒状物に繊細な作業を行なわせるのに適し、且つ確実に棒状物を保持することができる棒状物繰り出し容器を提供する。  【解決手段】  外筒１２内に内筒１４が摺動自在に嵌挿され、内筒１４と外筒１２との間に内筒１４を後方へと付勢する弾性体が設けられ、内筒１４の先端部に棒状物２４を保持するチャック片１８が設けられ、チャック片１８と外筒１２との間にチャックリング２０が嵌挿されて、内筒１４を前後に摺動させることにより、棒状物２４を繰り出し、引っ込める。棒状物２４の横断面は三角形を含む多角形の形状をなしており、チャック片１８は、多角形の少なくとも２つ以上の辺に対応して設けられて、該対応する辺を押圧可能となっている。【選択図】  図２
2006335040.tif 000002
【特許請求の範囲】
【請求項１】
外筒内に内筒が摺動自在に嵌挿され、内筒と外筒との間に内筒を後方へと付勢する弾性体が設けられ、内筒の先端部に棒状物を保持するチャック片が設けられ、チャック片と外筒との間にチャックリングが嵌挿されて、内筒を前後に摺動させることにより、棒状物を繰り出し、引っ込めることができる棒状物繰り出し容器において、
前記棒状物の横断面は多角形（三角形、四角形を含む、以下同様）の形状をなしており、チャック片は、多角形の少なくとも２つ以上の辺に対応して設けられて、該対応する辺を押圧可能となっていることを特徴とする棒状物繰り出し容器。
【請求項２】
前記チャック片は、棒状物の横断面多角形の前記対応する辺の中央部分において棒状物に当接することを特徴とする請求項１記載の棒状物繰り出し容器。
【請求項３】
前記チャックリングの内周面の横断面形状は、棒状物の横断面の多角形と同じ多角形となっており、チャックリングは、外筒の内周面に形成された抜け止め部に対して摺動可能且つ外筒の前方への抜け止めがなされた係止部を有し、該係止部は、前記横断面多角形の複数の辺のうちの一部にのみに対応して形成されることを特徴とする請求項１または２記載の棒状物繰り出し容器。
【請求項４】
外筒の内周面には、棒状物の横断面多角形の頂点に対応する部分に接触する嵌合部が形成されることを特徴とする請求項１ないし３のいずれか１項に記載の棒状物繰り出し容器。
【請求項５】
前記弾性体はコイルバネであり、該コイルバネの巻回形状は、棒状物の横断面の多角形と同じ多角形となっていることを特徴とする請求項１ないし４のいずれか１項に記載の棒状物繰り出し容器。
【請求項６】
前記外筒の内周面及び外周面の横断面形状は、棒状物の横断面の多角形と同じ多角形となっていることを特徴とする請求項５に記載の棒状物繰り出し容器。
【発明の詳細な説明】
【技術分野】
【０００１】
本発明は、棒状消しゴム、鉛筆芯、クレヨン芯、パステル芯、アイブロー芯等の棒状物を繰り出し及び引っ込めることができる棒状物繰り出し容器に関する。
【背景技術】
【０００２】
従来、この種の棒状物繰り出し容器としては、特許文献１または２に記載されたものが知られている。この文献に記載された棒状物繰り出し容器は、外筒内に内筒が摺動自在に嵌挿され、内筒と外筒との間に内筒を後方へと付勢する弾性体が設けられ、内筒の先端部に棒状物を保持するチャック片が設けられ、チャック片と外筒との間にチャックリングが嵌挿されて、内筒を前後に摺動させることにより、棒状物を繰り出し、引っ込めることができる。
【０００３】
かかる従来の棒状物繰り出し容器では、棒状物の横断面形状が円形のものを前提としており、チャック片は、曲面状の周面を持つ棒状物を保持することができるように、円形の周面方向に等間隔で棒状物に当接するようになっている。
【０００４】
【特許文献１】実公平３−４４５５２号公報
【特許文献２】実公平５−１４２６号公報
【発明の開示】
【発明が解決しようとする課題】
【０００５】
しかしながら、従来の棒状物繰り出し容器では、棒状物、例えば棒状消しゴムの先端が消耗して丸みを帯びてくると、細かな部分を消すなどの繊細な作業が困難になる、という問題がある。また、曲面状の周面を持つ棒状物をチャック片で保持するのに十分な締付け力を得るためには、多数のチャック片を設ける必要がある、という問題もある。
【０００６】
本発明はかかる課題に鑑みなされたもので、棒状物に繊細な作業を行なわせるのに適し、且つ確実に棒状物を保持することができる棒状物繰り出し容器を提供することをその目的とする。
【課題を解決するための手段】
【０００７】
上記目的を達成するために、本発明のうち請求項１記載の発明は、外筒内に内筒が摺動自在に嵌挿され、内筒と外筒との間に内筒を後方へと付勢する弾性体が設けられ、内筒の先端部に棒状物を保持するチャック片が設けられ、チャック片と外筒との間にチャックリングが嵌挿されて、内筒を前後に摺動させることにより、棒状物を繰り出し、引っ込めることができる棒状物繰り出し容器において、前記棒状物の横断面は多角形の形状をなしており、チャック片は、多角形の少なくとも２つ以上の辺に対応して設けられて、該対応する辺を押圧可能となっていることを特徴とする。
【０００８】
請求項２記載の発明は、請求項１記載のものにおいて、前記チャック片が、棒状物の横断面多角形の前記対応する辺の中央部分において棒状物に当接することを特徴とする。
【０００９】
請求項３記載の発明は、請求項１または２記載のものにおいて、前記チャックリングの内周面の横断面形状が、棒状物の横断面の多角形と同じ多角形となっており、チャックリングは、外筒の内周面に形成された抜け止め部に対して摺動可能且つ外筒の前方への抜け止めがなされた係止部を有し、該係止部は、前記横断面多角形の複数の辺のうちの一部にのみに対応して形成されることを特徴とする。
【００１０】
請求項４記載の発明は、請求項１ないし３のいずれか１項に記載のものにおいて、外筒の内周面に、棒状物の横断面多角形の頂点に対応する部分に接触する嵌合部が形成されることを特徴とする。
【００１１】
請求項５記載の発明は、請求項１ないし４のいずれか１項に記載の前記弾性体がコイルバネであり、該コイルバネの巻回形状は、棒状物の横断面の多角形と同じ多角形となっていることを特徴とする。
【００１２】
請求項６記載の発明は、請求項５に記載のものにおいて、前記外筒の内周面及び外周面の横断面形状が、棒状物の横断面の多角形と同じ多角形となっていることを特徴とする。
【発明の効果】
【００１３】
本発明によれば、棒状物の横断面が三角形、四角形を含む多角形の形状をなしており、よって棒状物が複数の稜線を有しているので、棒状物の先端が消耗により丸みを帯びても、稜線を利用して繊細な作業を行うことができるようになる。また、チャック片が、多角形の少なくとも２つ以上の辺に対応して設けられて該対応する辺を押圧可能となっており、チャック片が棒状物の平面の部分に当接するために、確実に棒状物を保持することができる。
【００１４】
請求項２記載の発明によれば、前記対応する辺の中央部分において、チャック片が棒状物に当接することで、バランス良く棒状物を保持することができる。
【００１５】
請求項３記載の発明によれば、係止部はアンダーカットになるため成形上困難であるが、係止部が、横断面多角形の複数の辺のうちの一部にのみに対応して設けることにより、成形を容易にすることができる。即ち、係止部を設ける辺は、成形上、好都合な辺が適宜選択されるとよく、例えば、多角形が三角形である場合には、三角形の三辺のうちの二辺のみに対応して係止部を設けるとよい。
【００１６】
請求項４記載の発明によれば、棒状物を繰り出すときに、棒状物に摩擦力を与えるための嵌合部が棒状物の横断面多角形の頂点に対応する部分に形成されており、嵌合部は棒状物の稜線においてほぼ線接触するために、面接触になる場合と比較して、その嵌合部の摩擦力の調整を容易にすることができる。
【００１７】
請求項５記載の発明によれば、弾性体であるコイルバネの巻回形状も多角形とすることにより、コイルバネ内の空間を無駄にすることなく棒状物が占有することができる。
【００１８】
請求項６記載の発明によれば、外筒の横断面形状も棒状物と同じ多角形であるため、使用者が把持しやすい形状とすることができ、且つ外筒内の空間を無駄にすることなく棒状物が占有することができる。
【発明を実施するための最良の形態】
【００１９】
以下、図面を用いて本発明の実施の形態を説明する。
図１は本発明による棒状物繰り出し容器の実施形態を表す全体縦断面図、図２は全体斜視図である。
【００２０】
図において、棒状物繰り出し容器１０は、外筒１２と、該外筒１２内に摺動自在に嵌挿される内筒１４と、を備えている。外筒１２及び内筒１４のそれぞれの外周面及び内周面の横断面形状は、後述の棒状物２４の横断面形状に合わせて三角形となっており、主なる辺を構成する３辺を備えている。但し、該横断面形状は必ずしも数学的に正確な三角形となる必要はなく、各辺は直線でなく１つ以上の曲率を持つ曲線であってもよく、頂点は角張っておらず丸味を帯びていてもよい。
【００２１】
外筒１２と内筒１４との間には、弾性体であるコイルバネ１６が介挿されており、バネ１６は内筒１４を外筒１２に対して後方へと付勢している。バネ１６も、図６に示すように、棒状物２４の横断面形状の三角形に合わせて、その巻回形状が三角形となっている。バネ１６の位置は、外筒１２内の図示した前部に限らず、後部に配置することも可能である。
【００２２】
外筒１２の先端部の内周面には、図３及び図１０に示したように、横断面形状の三角形の辺に対応する部分に抜け止め用リブ（抜け止め部）１２ａと横断面形状の三角形の頂点に対応する部分に棒状物嵌合用リブ（嵌合部）１２ｂとが形成されており、それぞれのリブ１２ａ、１２ｂは、軸中心方向に突出して軸方向に伸びている。
【００２３】
内筒１４の後端部は外筒１２の後端から突出しており、この突出部分はノック部１４ａを構成する。また、ノック部１４ａにはクリップ１４ｂが一体的に形成されている。
【００２４】
内筒１４の先端部には、図４及び図５に示したように、３本のチャック片１８、１８、１８が設けられ、各チャック片１８の頭部１８ａは外筒１２の先端から突出している。チャック片１８は、棒状物２４の横断面三角形の辺の中央部分に対応して配置される（図１０参照）。また、複数のチャック片１８は、本来的には互いに軸方向中心部から離れる方向へと拡がるように設定されている。さらに、隣接するチャック片１８との間の隙間は、頭部１８ａにおける隙間よりも頭部１８ａから後方部分の隙間の方が狭くなるように設定されている（図５参照）。
【００２５】
チャック片１８と外筒１２との間には、プラスチック製のチャックリング２０が嵌挿される。チャックリング２０の本体２０ａの外周面及び内周面のそれぞれの横断面形状は、棒状物２４の横断面形状に合わせて三角形となっており、主なる辺を構成する３辺を備えている。但し、ここでも横断面形状は必ずしも数学的に正確な三角形となる必要はなく、各辺は直線でなく１つ以上の曲率を持つ曲線であってもよく、頂点は角張っておらず丸味を帯びていてもよい。
【００２６】
本体２０ａの一部は、外筒１２の前方外側に配置され、該本体２０ａの後端部からは、外筒１２に対して摺動可能に且つ外筒１２から抜けないようにするための係止部２０ｂ、２０ｂが外筒１２内へと延びている。１つの係止部２０ｂは、図７及び８に示したように、対向する鈎状の頭部となった一対のフック片２０ｃ、２０ｃから構成される。
【００２７】
この係止部２０ｂのフック片２０ｃ、２０ｃは、外筒１２の前記抜け止め用リブ１２ａに摺動可能に案内されており、図１１に示すように、抜け止め用リブ１２ａの拡大頭部にフック片２０ｃ、２０ｃが引っ掛かると、それ以上のチャックリング２０の前進が阻止されて、外筒１２の前方への抜け止めがなされる。
【００２８】
係止部２０ｂは、チャックリング２０の成形を容易にするために、この場合、本体２０ａの横断面形状の三角形の各辺に対応させずに、２辺のみに対応して形成されている（図７参照）。即ち、仮に、各辺に対応させて係止部２０ｂを形成しようとすると、フック片２０ｃ、２０ｃはアンダーカットになるために金型成形が困難になるが、三角形の各辺ではなく限定的且つ選択的な辺にのみ（この場合、二辺にのみ）対応させて係止部２０ｃを設けることで、量産に適した金型を用いてチャックリング２０を成形することができる。
【００２９】
また、チャックリング２０の本体２０ａの先端部には、前方及び軸中心方向へと突出する突出角部２０ｄ、２０ｄ、２０ｄが形成されており、通常時には、隣接する突出角部２０ｄの間に、チャック片１８の頭部１８ａがはめ込まれており、バネ１６によって後方へと付勢されるチャック片１８の頭部１８ａは本体２０ａによって後方変位が阻止されると共に、軸方向中心部から離れる方向へと拡がることが阻止される。
【００３０】
外筒１２及び内筒１４内には横断面が三角形の形状となった三角柱の棒状消しゴムである棒状物２４が収納される。よって、棒状物２４の周面には複数の稜線が形成されている。棒状物２４は、外筒１２内において、横断面三角形の頂点に対応する部分が、棒状物嵌合用リブ１２ｂに接触している（図１０参照）。
【００３１】
以上のように構成される棒状物繰り出し容器１０において、通常時には、チャックリング２０によってチャック片１８の頭部１８ａの拡がりが阻止されているために、各チャック片１８は、棒状物２４の横断面三角形の辺の中央部分に当接して、棒状物２４を押圧している。即ち、チャック片１８は、棒状物２４の平面部分に当接しているために、確実に棒状物２４を保持することができ、これによって棒状物２４はその移動が阻止されている。従って、外筒１２を握り、チャック片１８によって締付けられた部分よりも前方にある棒状物２４の部分を使用することができる。
【００３２】
棒状物２４の先端は、使用に伴い消耗して丸みを帯びてくるが、棒状物２４の周面には、三角形の頂点に対応する稜線があるために、稜線を用いて細かな部分の消去作業を行なうことができる。
【００３３】
棒状物２４をさらに繰り出したいときには、ノック部１４ａをノックする。これによって、チャック片１８及び棒状物２４が前進して、チャック片１８との摩擦によりチャックリング２０も同時に前進する。しかしながら、チャックリング２０は、そのフック片２０ｃが抜け止め用リブ１２ａの頭部に当接するまでの間しか移動できず、頭部に当接するとそれ以上は前進できないために、チャック片１８だけが前進する。このときに、チャック片１８は、チャックリング２０の突出角部２０ｄの間を通過していくが、隣接するチャック片１８同士の隙間の大きさは、後方において小さくなっているため、突出角部２０ｄによってチャック片１８が本来の互いに軸方向中心部から離れる方向へと拡がるように強制される。これによって、棒状物２４はチャック片１８の締め付けから解放される。そして、ノック部１４ａのノックを解除すると、チャック片１８はバネ１６の付勢力によって後退して初期位置へと戻る。このとき、チャック片１８がチャックリング２０によって締め付け力を発揮するまで、棒状物２４は、外筒１２の棒状物嵌合用リブ１２ｂによる摩擦力によって前進した位置に保持される。この一連の操作によって、棒状物２４は、チャックリング２０の係止部２０ｂが外筒１０に対して摺動する長さにほぼ対応する長さ分だけ、繰り出される。
【００３４】
また、繰り出された棒状物２４を引っ込めるときには、ノック部１４ａをノックして、棒状物２４をチャック片１８の締め付けから解放した状態にして、棒状物２４を後方へと押し込むことにより、行なうことができる。
【００３５】
棒状物嵌合用リブ１２ｂによる摩擦力は、棒状物嵌合用リブ１２ｂの高さによって変化するために、適切な摩擦力を棒状物２４に与えるためには、棒状物嵌合用リブ１２ｂの高さを適切に設定する必要があるが、棒状物嵌合用リブ１２ｂは棒状物２４の稜線に接触しており実質的に線接触であるため、面接触する場合と比較して、高さの調整を容易に行なうことができる。
【００３６】
また、バネ１６の巻回形状が棒状物２４の横断面形状の三角形と合わせて三角形となっているために、バネ１６内の空間を無駄にすることなく、有効に空間を利用することができる。さらに、外筒１２及び内筒１４も同様に、棒状物２４の横断面形状の三角形と合わせて三角形としているので、外筒１２内の空間を無駄にすることなく、有効に空間を利用することができる。
【００３７】
また、外筒１２の外周面の横断面形状が三角形になっていると、手で保持する際に使用されることが多い親指、人差し指、中指に対応させることができて、使用者の把持性を向上させることができる。
【００３８】
以上の説明では、棒状物が正三角形の場合について説明したが、これに限ることなく、任意の三角形または四角形以上の任意の多角形とすることができ、外筒、内筒、バネ、チャックリングのうちの少なくとも一つの部材の形状も棒状物の多角形形状と合わせた形状にすることができる。棒状物２４の稜線の数が増加することにより、角部の数が増えて、より繊細な作業に適したものとすることができる。
【図面の簡単な説明】
【００３９】
【図１】本発明の棒状物繰り出し容器の実施形態を表す全体縦断面図である。
【図２】図１の棒状物繰り出し容器の全体斜視図である。
【図３】外筒の縦断面図である。
【図４】内筒の後方から見た斜視図である。
【図５】内筒の縦断面図である。
【図６】バネ（弾性体）の斜視図である。
【図７】（ａ）はチャックリングの後方から見た斜視図、（ｂ）はチャックリングの前方から見た斜視図である。
【図８】チャックリングの縦断面図である。
【図９】（ａ）は図１の９−９線に沿って見た断面図、（ｂ）はノック時の相当断面図である。
【図１０】図１の１０−１０線に沿って見た断面図である。
【図１１】チャックリングの係止部と、外筒の抜け止め用リブとの関係を表す図である。
【符号の説明】
【００４０】
１０  棒状物繰り出し容器
１２  外筒
１２ａ  抜け止め用リブ（抜け止め部）
１２ｂ  棒状物嵌合用リブ（嵌合部）
１４  内筒
１６  コイルバネ（弾性体）
１８  チャック片
２０  チャックリング
２０ｂ  係止部
２４  棒状物
【図１】
2006335040.tif 000003
【図２】
2006335040.tif 000004
【図３】
2006335040.tif 000005
【図４】
2006335040.tif 000006
【図５】
2006335040.tif 000007
【図６】
2006335040.tif 000008
【図７】
2006335040.tif 000009
【図８】
2006335040.tif 000010
【図９】
2006335040.tif 000011
【図１０】
2006335040.tif 000012
【図１１】
2006335040.tif 000013